(57)【要約】【課題】陳列された商品の取り出し性を向上させることができるショーケースを提供する。【解決手段】本発明によるショーケース１は、基台１０と、天板４０と、基台１０と天板４０との間に設けられた複数の陳列台５０Ａ〜５０Ｄと、を備えている。陳列台５０Ａ〜５０Ｄは、商品が載置される陳列テーブル５１と、陳列テーブル５１の外側に設けられた側板５２と、を有している。複数の陳列台５０Ａ〜５０Ｄは、上方から見たときに、陳列室２内に収納された収納位置と、陳列室２から外側に引き出された引出位置との間で、互いに異なる方向にスライド可能になっている。【選択図】図２
2018158038.tif 000002
【特許請求の範囲】
【請求項１】
商品が陳列される陳列室を有するショーケースであって、
基台と、
前記基台の上方に設けられた天板と、
前記基台と前記天板との間に設けられ、上方から見たときに互いに異なる領域に割り付けられた複数の陳列台と、を備え、
前記陳列台は、前記商品が載置される陳列テーブルと、前記陳列テーブルの外側に設けられた側板と、を有し、
前記陳列室は、前記天板と、前記陳列テーブルと、前記側板とによって画定され、
複数の前記陳列台は、上方から見たときに、前記陳列室内に収納された収納位置と、前記陳列室から外側に引き出された引出位置との間で、互いに異なる方向にスライド可能になっている、ショーケース。
【請求項２】
複数の前記陳列台は、互いに独立してスライド可能になっている、請求項１に記載のショーケース。
【請求項３】
前記陳列テーブルは、前記商品が載置される載置面と、隣り合う他の前記陳列テーブルの側の縁部に設けられた凸部と、を含み、
前記凸部は、前記載置面よりも上方に突出している、請求項１または２に記載のショーケース。
【請求項４】
前記陳列テーブルは、上方から見たときに、前記陳列室の中心を通り、隣り合う他の前記陳列テーブルとの境界をなす一対の境界線を含み、
前記陳列台のスライド方向は、一対の前記境界線がなす角度の二等分線の方向である、請求項１に記載のショーケース。
【請求項５】
前記陳列室に冷気を供給する冷気供給部を更に備え、
前記陳列台は、前記陳列テーブルと前記側板との間に設けられた、前記冷気が通過する冷気通気口を更に有している、請求項１乃至４のいずれか一項に記載のショーケース。
【請求項６】
複数の前記陳列台は、第１陳列台と、第２陳列台と、を有し、
前記第１陳列台の前記冷気通気口は、前記陳列室内に前記冷気を放出し、前記第２陳列台の前記冷気通気口は、前記陳列室から前記冷気を吸引する、請求項５に記載のショーケース。
【請求項７】
前記第１陳列台と前記第２陳列台は、上方から見たときに、前記陳列室の中心に対して互いに反対側に配置されている、請求項６に記載のショーケース。
【請求項８】
前記基台は、前記冷気供給部を収容した、前記冷気が通過する冷気流路空間を有し、
前記冷気流路空間は、前記冷気供給部の下流側に設けられた下流側空間と、前記冷気供給部の上流側に設けられた上流側空間と、を含み、
前記第１陳列台の前記冷気通気口は、前記下流側空間の側に配置され、前記第２陳列台の前記冷気通気口は、前記上流側空間の側に配置され、
前記冷気流路空間内に、前記冷気供給部が取り付けられたサポート部材が設けられ、
前記サポート部材は、前記冷気流路空間を、前記下流側空間と前記上流側空間とに仕切っている、請求項６または７に記載のショーケース。
【請求項９】
前記基台は、前記陳列台をスライド可能に支持するガイドレールが取り付けられたレールサポートを有し、
前記レールサポートは、前記サポート部材とともに前記基台の前記冷気流路空間を前記下流側空間と前記上流側空間とに仕切っている、請求項８に記載のショーケース。
【請求項１０】
前記第１陳列台は、前記冷気供給部からの前記冷気を前記冷気通気口に案内する２つの冷気ガイド部材を有し、
一方の前記冷気ガイド部材は、当該冷気通気口よりも内側に配置され、他方の前記冷気ガイド部材は、当該冷気通気口よりも外側に配置されている、請求項６乃至９のいずれか一項に記載のショーケース。
【請求項１１】
前記陳列台の前記側板の外面に外気を供給する外気供給部を更に備え、
前記陳列台は、前記外気供給部から供給された前記外気を前記側板の外面に放出する外気通気口を更に有している、請求項１乃至１０のいずれか一項に記載のショーケース。
【請求項１２】
前記陳列台が前記引出位置に引き出されているか否かを検出する陳列台検出部を更に備え、
前記陳列台検出部により前記陳列台が前記引出位置に引き出されていることが検出された場合、前記外気供給部による前記外気の供給を停止する、請求項１１に記載のショーケース。
【請求項１３】
前記基台は、前記外気供給部から前記外気通気口に向かう前記外気が通過する外気流路部を更に有し、
前記陳列台は、前記外気流路部を通過した前記外気を前記外気通気口に案内する２つの外気ガイド部材を有し、
一方の前記外気ガイド部材は、前記外気通気口よりも内側に配置され、他方の前記外気ガイド部材は、前記外気通気口よりも外側に配置されている、請求項１１または１２に記載のショーケース。
【請求項１４】
結露水を回収する回収タンクを更に備え、
前記陳列台は、前記陳列台の前記側板の外面で発生した前記結露水を受ける側板フレームと、前記側板フレームが受けた前記結露水を前記回収タンクに案内する陳列台水路と、を更に有している、請求項１乃至１３のいずれか一項に記載のショーケース。
【請求項１５】
前記天板は、上方に向かって凸となるように湾曲している、請求項１乃至１３のいずれか一項に記載のショーケース。
【請求項１６】
結露水を回収する回収タンクを更に備え、
前記天板の外縁に、前記天板の上面で発生した前記結露水を受ける天板フレームが設けられ、
互いに隣り合う前記側板の間に、前記天板を前記基台に支持する支柱が設けられ、
各々の前記支柱は、前記天板フレームが受けた前記結露水を前記回収タンクに案内する支柱水路を有している、請求項１５に記載のショーケース。
【発明の詳細な説明】
【技術分野】
【０００１】
本発明は、商品が陳列される陳列室を有するショーケースに関する。
【背景技術】
【０００２】
従来より、商品が陳列される陳列室を有するショーケースが知られている（例えば、特許文献１参照）。このショーケースでは、物品が載置される床板を有するスライドテーブルが、天板の下方位置に収容された状態から引出可能に構成されている。
【先行技術文献】
【特許文献】
【０００３】
【特許文献１】特開２００３−５２４９８号公報
【発明の概要】
【発明が解決しようとする課題】
【０００４】
しかしながら、上述したショーケースでは、スライドテーブルは、一方向にしか引き出すことができない。この場合、陳列室内の商品を手に取ることができる位置が限られてしまうという問題がある。
【０００５】
本発明は、このような点を考慮してなされたものであり、陳列された商品の取り出し性を向上させることができるショーケースを提供する。
【課題を解決するための手段】
【０００６】
本発明は、
商品が陳列される陳列室を有するショーケースであって、
基台と、
前記基台の上方に設けられた天板と、
前記基台と前記天板との間に設けられ、上方から見たときに互いに異なる領域に割り付けられた複数の陳列台と、を備え、
前記陳列台は、前記商品が載置される陳列テーブルと、前記陳列テーブルの外側に設けられた側板と、を有し、
前記陳列室は、前記天板と、前記陳列テーブルと、前記側板とによって画定され、
複数の前記陳列台は、上方から見たときに、前記陳列室内に収納された収納位置と、前記陳列室から外側に引き出された引出位置との間で、互いに異なる方向にスライド可能になっている、ショーケース、
を提供する。
【０００７】
なお、上述したショーケースにおいて、複数の前記陳列台は、互いに独立してスライド可能になっている、ようにしてもよい。
【０００８】
また、上述したショーケースにおいて、前記陳列テーブルは、前記商品が載置される載置面と、隣り合う他の前記陳列テーブルの側の縁部に設けられた凸部と、を含み、前記凸部は、前記載置面よりも上方に突出している、ようにしてもよい。
【０００９】
また、上述したショーケースにおいて、前記陳列テーブルは、上方から見たときに、前記陳列室の中心を通り、隣り合う他の前記陳列テーブルとの境界をなす一対の境界線を含み、前記陳列台のスライド方向は、一対の前記境界線がなす角度の二等分線の方向である、ようにしてもよい。
【００１０】
また、上述したショーケースにおいて、前記陳列室に冷気を供給する冷気供給部を更に備え、前記陳列台は、前記陳列テーブルと前記側板との間に設けられた、前記冷気が通過する冷気通気口を更に有している、ようにしてもよい。
【００１１】
また、上述したショーケースにおいて、複数の前記陳列台は、第１陳列台と、第２陳列台と、を有し、前記第１陳列台の前記冷気通気口は、前記陳列室内に前記冷気を放出し、前記第２陳列台の前記冷気通気口は、前記陳列室から前記冷気を吸引する、ようにしてもよい。
【００１２】
また、上述したショーケースにおいて、前記第１陳列台と前記第２陳列台は、上方から見たときに、前記陳列室の中心に対して互いに反対側に配置されている、ようにしてもよい。
【００１３】
また、上述したショーケースにおいて、前記基台は、前記冷気供給部を収容した、前記冷気が通過する冷気流路空間を有し、前記冷気流路空間は、前記冷気供給部の下流側に設けられた下流側空間と、前記冷気供給部の上流側に設けられた上流側空間と、を含み、前記第１陳列台の前記冷気通気口は、前記下流側空間の側に配置され、前記第２陳列台の前記冷気通気口は、前記上流側空間の側に配置され、前記冷気流路空間内に、前記冷気供給部が取り付けられたサポート部材が設けられ、前記サポート部材は、前記冷気流路空間を、前記下流側空間と前記上流側空間とに仕切っている、ようにしてもよい。
【００１４】
また、上述したショーケースにおいて、前記基台は、前記陳列台をスライド可能に支持するガイドレールが取り付けられたレールサポートを有し、前記レールサポートは、前記サポート部材とともに前記基台の前記冷気流路空間を前記下流側空間と前記上流側空間とに仕切っている、ようにしてもよい。
【００１５】
また、上述したショーケースにおいて、前記第１陳列台は、前記冷気供給部からの前記冷気を前記冷気通気口に案内する２つの冷気ガイド部材を有し、一方の前記冷気ガイド部材は、当該冷気通気口よりも内側に配置され、他方の前記冷気ガイド部材は、当該冷気通気口よりも外側に配置されている、ようにしてもよい。
【００１６】
また、上述したショーケースにおいて、前記陳列台の前記側板の外面に外気を供給する外気供給部を更に備え、前記陳列台は、前記外気供給部から供給された前記外気を前記側板の外面に放出する外気通気口を更に有している、ようにしてもよい。
【００１７】
また、上述したショーケースにおいて、前記陳列台が前記引出位置に引き出されているか否かを検出する陳列台検出部を更に備え、前記陳列台検出部により前記陳列台が前記引出位置に引き出されていることが検出された場合、前記外気供給部による前記外気の供給を停止する、ようにしてもよい。
【００１８】
また、上述したショーケースにおいて、結露水を回収する回収タンクを更に備え、前記陳列台は、前記陳列台の前記側板の外面で発生した前記結露水を受ける側板フレームと、前記側板フレームが受けた前記結露水を前記回収タンクに案内する陳列台水路と、を更に有している、ようにしてもよい。
【００１９】
また、上述したショーケースにおいて、前記天板は、上方に向かって凸となるように湾曲している、ようにしてもよい。
【００２０】
また、上述したショーケースにおいて、結露水を回収する回収タンクを更に備え、前記天板の外縁に、前記天板の上面で発生した前記結露水を受ける天板フレームが設けられ、互いに隣り合う前記側板の間に、前記天板を前記基台に支持する支柱が設けられ、各々の前記支柱は、前記天板フレームが受けた前記結露水を前記回収タンクに案内する支柱水路を有している、ようにしてもよい。
【発明の効果】
【００２１】
本発明によれば、陳列された商品の取り出し性を向上させることができる。
【図面の簡単な説明】
【００２２】
【図１】図１は、本実施の形態におけるショーケースを示す斜視図である。
【図２】図２は、図１のショーケースを、陳列台を引き出した状態で示す斜視図である。
【図３】図３は、図１のショーケースの全体構成を示す側面断面図である。
【図４】図４は、図１のショーケースにおいて、天板フレームおよびその近傍を示す部分拡大断面図である。
【図５】図５は、図３のショーケースのＡ−Ａ線断面図である。
【図６】図６は、図１のショーケースにおいて、側板フレームおよびその近傍を示す部分拡大断面図である。
【図７】図７は、図１のショーケースにおいて、基台および陳列台の中心部分を示す部分拡大断面図である。
【図８】図８は、図３のショーケースの基台を示す上面図である。
【発明を実施するための形態】
【００２３】
以下、図面を参照して本発明の一の実施の形態について説明する。なお、本明細書に添付する図面においては、図示と理解のしやすさの便宜上、適宜縮尺および縦横の寸法比等を、実物のそれらから変更し誇張してある。
【００２４】
本実施の形態におけるショーケース１は、商品が陳列される陳列室２を有している。図１に示すように、ショーケース１は、上方から見たときに円形状に形成されており、ショーケース１の全周囲から、陳列された商品を視認し易くするように構成されている。このようなショーケース１は、ドーム型のショーケースと言う場合もある。そして、図２に示すように、複数の異なる方向に、商品が陳列された陳列台５０Ａ〜５０Ｄを引き出すことができ、ショーケース１の周囲における複数の位置で商品を手に取ることができるように構成されている。以下に、図１および図２に示すショーケース１について、より詳細に説明する。
【００２５】
図３に示すように、ショーケース１は、陳列室２の下方に設けられた基台１０と、陳列室２の上方に設けられた天板４０と、基台１０と天板４０との間に設けられた複数（本実施の形態では４つ）の陳列台５０Ａ〜５０Ｄと、を備えている。陳列台５０Ａ〜５０Ｄは、商品が載置される陳列テーブル５１と、陳列テーブル５１の外側に設けられた側板５２と、を有している。天板４０と、各陳列台５０Ａ〜５０Ｄの陳列テーブル５１と、側板５２とによって、陳列室２が画定されている。そして、各陳列台５０Ａ〜５０Ｄは、陳列室２内に収納された収納位置（図３において実線で示した位置）と、陳列室２から外側に引き出された引出位置（図３において二点鎖線で示した位置）との間で、スライド可能になっている。陳列台５０Ａ〜５０Ｄは、上方から見たときに、互いに異なる方向にスライド可能になっている。すなわち、陳列台５０Ａ〜５０Ｄが、基台１０および天板４０に対してスライドするように構成されている。
【００２６】
各陳列台５０Ａ〜５０Ｄの側板５２の外側には、外側カバー部５３が設けられている。外側カバー部５３は、取っ手としての機能も有しており、陳列台５０Ａ〜５０Ｄを引き出す際に、下方から手を差し込むことができるように形成されている。しかしながら、外側カバー部５３の形状は、陳列台５０Ａ〜５０Ｄを引き出すことができれば、これに限られることはなく、外側カバー部５３とは別体の取っ手を設けてもよい。
【００２７】
基台１０は、陳列室２内に供給される冷気が通過する冷気流路空間１１を有している。この冷気流路空間１１には、陳列室２から吸引された冷気を冷却して陳列室２に供給する冷気供給部１２が設けられている。この冷気供給部１２は、２つの冷気ファン１３と、冷却器１４と、を有しており、冷気ファン１３によって陳列室２から吸引された冷気が冷却器１４に送られ、冷却器１４によって冷却される。冷却された冷気は、冷却器１４から陳列室２に供給される。このようにして、ショーケース１内で冷気（空気）が循環し、陳列室２に陳列された商品が冷却されるようになっている。冷気流路空間１１の周囲には、基台壁部１５が設けられている。また、冷気流路空間１１の下部には、基台床部１６が設けられている。基台壁部１５および基台床部１６は、冷気流路空間１１を画定している。
【００２８】
冷気流路空間１１内に、２つの冷気ファン１３と冷却器１４とが取り付けられたサポート部材１７が設けられている。このサポート部材１７によって、冷気流路空間１１が、下流側空間１８と上流側空間１９とに仕切られている。このうち下流側空間１８は、冷気供給部１２の下流側に設けられた空間（図３における右側の空間）であり、冷却器１４から排出されて陳列室２に向かう冷気が通過する空間である。上流側空間１９は、冷気供給部１２の上流側に設けられた空間（図３における左側の空間）であり、陳列室２から吸引されて冷気ファン１３に向かう冷気が通過する空間である。これらの下流側空間１８と上流側空間１９とにより、冷気流路空間１１が構成されている。
【００２９】
また、本実施の形態では、基台１０には、各陳列台５０Ａ〜５０Ｄの側板５２の外面に外気を供給する外気ファン２０（外気供給部）が設けられている。この外気ファン２０は、基台床部１６の下方に設けられており、基台１０の周囲の外気を吸引して側板５２の外面に供給する。基台床部１６の下面には、外気ファン２０から供給されて側板５２に向かう外気が通過する外気ダクト２１が設けられている。基台壁部１５の外側には、外気ダクト２１を通過して後述する外気通気口６７に向かう外気が通過する外気流路部２２が設けられている。外気流路部２２は、基台壁部１５の周囲に設けられており、基台１０の外気通気口６７に外気を供給可能になっている。なお、図３においては、外気ダクト２１は、外気ファン２０から陳列台５０Ｃの側に延びている例が示されているが、これに限られることはなく、複数の外気ダクト２１を、外気ファン２０を中心として放射状に延びるように形成してもよい。
【００３０】
図１および図２に示すように、天板４０は、上方から見たときに円形状に形成されている。図３に示すように、陳列室２の中心を含む側面断面で見たときには、天板４０は、上方に向って凸となるように湾曲している。天板４０は、透明なガラス板によって形成されており、天板４０を通して陳列された商品を視認することができるようになっている。とりわけ、本実施の形態では、天板４０の外縁は、陳列台の側板５２の上部に配置されており、陳列室２が全体的に、透明なガラス板で形成された天板４０によって上方から覆われている。このことにより、上方からの視界を妨げる部材（例えば金属製のフレームなど）が存在しないようになっており、陳列室２に陳列された商品を、上方から容易に視認可能になっている。
【００３１】
図４に示すように、天板４０の外縁には、（例えば金属製の）天板フレーム４１が設けられている。この天板フレーム４１は、天板４０の外縁に沿って周方向に延びるように形成されている。天板フレーム４１は、天板４０を支持している。天板４０と天板フレーム４１との間には、パッキンＰ１が介在されており、天板４０と天板フレーム４１との間の隙間は、気体が通過しないようになっている。
【００３２】
天板フレーム４１には、陳列された商品を照らすための照明部４３が設けられている。この照明部４３は、陳列室２内に配置されている。
【００３３】
天板フレーム４１は、天板４０の上面で発生した結露水を受けるように構成されている。天板フレーム４１には、受けた結露水を、後述する支柱４４に排出する排水孔４２が設けられている。また、天板フレーム４１は、陳列台５０Ａ〜５０Ｄが収納位置に位置付けられた場合、図３に示すように、後述する側板フレーム５７がシール部材Ｓ１を介して当接するようになっており、天板フレーム４１と側板フレーム５７との間の隙間を気体が通過することを防止している。
【００３４】
図４に示すように、天板フレーム４１は、複数の支柱４４によって基台１０の基台壁部１５に支持されている。支柱４４は、図５に示すように、各陳列台５０Ａ〜５０Ｄの側板５２のうち互いに隣り合う側板５２の間に配置されている。本実施の形態では、天板４０は、４つの支柱４４によって支持されている。各支柱４４は、天板フレーム４１から排出された結露水を、後述する回収タンク２４に案内する支柱水路４５を有している。すなわち、支柱４４はパイプ状に形成されており、支柱４４の内部に支柱水路４５が設けられている。
【００３５】
また、図５に示すように、支柱４４の内面には当て板４４ａが設けられている。この当て板４４ａには、陳列台５０Ａ〜５０Ｄが収納位置に位置付けられた場合、後述する側板フレーム５７がシール部材Ｓ２を介して当接するようになっており、支柱４４と側板フレーム５７との間の隙間を気体が通過することを防止している。
【００３６】
図３に示すように、基台床部１６には、回収孔２３が設けられている。支柱水路４５を通過した結露水は、基台床部１６の上面を流れて、基台床部１６に設けられた回収孔２３に達する。回収孔２３は、結露水を回収する回収タンク２４に連通している。この回収タンク２４は、基台床部１６の下方の機械室２５内に設置されており、基台１０に取り外し可能になっている。このため、回収タンク２４内に結露水が所定量貯留された場合には、回収タンク２４を基台１０から取り外して、結露水を廃棄可能になっている。なお、機械室２５には、冷却器１４を駆動するためのコンプレッサ（図示せず）などが収容されている。
【００３７】
図１および図５に示すように、陳列台５０Ａ〜５０Ｄは、上方から見たときに互いに異なる領域に割り付けられている。本実施の形態によるショーケース１は、４つの陳列台（陳列台５０Ａ、陳列台５０Ｂ、陳列台５０Ｃおよび陳列台５０Ｄ）を備えており、各陳列台５０Ａ〜５０Ｄが占める領域が均等になるように割り付けられている。上方から見たときに、陳列台５０Ａと陳列台５０Ｂが、陳列室２の中心に対して互いに反対側に配置されており、陳列台５０Ｃ（第１陳列台）と陳列台５０Ｄ（第２陳列台）が、陳列室２の中心に対して互いに反対側に配置されている。
【００３８】
図５に示すように、陳列台５０Ａ〜５０Ｄの陳列テーブル５１は、上方から見たときに、隣り合う他の陳列テーブル５１との境界をなす一対の境界線５４を含んでいる。各境界線５４は、上方から見たときに、陳列室２の中心を通っており、各陳列テーブル５１の一対の境界線５４がなす角度は、互いに同一になっている。このことにより、各陳列テーブル５１が占める領域を均等化させている。本実施の形態のショーケース１では、４つの陳列台５０Ａ〜５０Ｄを備えているため、一対の境界線５４がなす角度は９０°になっている。すなわち、陳列テーブル５１は、上方から見たときに、概略的には、中心角が９０°の扇形状に形成されている。互いに隣り合う陳列台５０Ａ〜５０Ｄが収納位置に位置付けられた場合、各陳列テーブル５１は互いに当接するようになっている。
【００３９】
図３および図５に示すように、陳列テーブル５１は、商品が載置される載置面５５と、陳列テーブル５１の隣り合う他の陳列テーブル５１の側の縁部（言い換えると、上述した境界線５４の側の部分）に設けられた凸部５６と、を含んでいてもよい。このうち凸部５６は、載置面５５よりも上方に突出している。図５においては、凸部５６が、境界線５４に沿って直線状にかつ連続状に形成されている例が示されているが、商品の落下を防止できるとともに、載置面５５の面積を確保することができれば、凸部５６の形状は任意である。
【００４０】
図５に示すように、側板５２は、上方から見たときに、陳列室２の中心に対して円周方向に延びるように（円弧状に）形成されている。各陳列台５０Ａ〜５０Ｄが収納位置に位置付けられた場合、４つの側板５２は、円形状の陳列室２を外側から画定する。また、側板５２は、透明なガラス板によって形成されており、側板５２を通して陳列された商品を視認することができるようになっている。
【００４１】
図３に示すように、側板５２の周囲には、（例えば金属製の）側板フレーム５７が設けられている。この側板フレーム５７は、側板５２の上端部、下端部および一対の側端部（支柱４４の側の端部）を覆うように形成されており、側板５２を支持している。図６に示すように、側板５２と側板フレーム５７との間には、パッキンＰ２が介在されており、側板５２と側板フレーム５７との間の隙間を気体が通過することを防止している。
【００４２】
図６に示すように、側板フレーム５７のうち側板５２の下方の部分は、側板５２の外面で発生した結露水を受けるように構成されている。側板フレーム５７には、受けた結露水を、後述する陳列台水路５９に排出する排水孔５８が設けられている。
【００４３】
陳列台５０Ａ〜５０Ｄは、側板フレーム５７が受けた結露水を後述する回収タンク２４に案内する陳列台水路５９を有している。陳列台水路５９は、第１陳列台水路６０と、第２陳列台水路６１と、を含んでいる。このうち第１陳列台水路６０は、側板フレーム５７の下面に設けられた第１パイプ部材６２の内部に形成されている。第１パイプ部材６２は、側板フレーム５７に沿って円周方向に延びるように形成されている（図８参照）。第１陳列台水路６０は、第１パイプ部材６２の受け入れ孔６２ａを介して、側板フレーム５７が受けた結露水を受け入れるようになっている。第２陳列台水路６１は、陳列テーブル５１の下面に設けられた第２パイプ部材６３の内部に形成されている。第２陳列台水路６１は、第２パイプ部材６３の外端において第１パイプ部材６２の第１陳列台水路６０に連通している。第２パイプ部材６３は、陳列テーブル５１の一対の境界線５４が成す角度の二等分線に沿って半径方向に延びるように形成されている（図８参照）。第２パイプ部材６３は、図７に示すように、陳列室２の中心付近で終端し、第２陳列台水路６１が開口している。すなわち、各陳列台５０Ａ〜５０Ｄの第２パイプ部材６３の内端同士が、離間している。このことにより、第２パイプ部材６３を通過した結露水は  第２パイプ部材６３の内端から落下可能になっている。
【００４４】
ところで、図７に示すように、基台１０のサポート部材１７の上方には、プレート部材２６が設けられている。このプレート部材２６は、一方の第１レールサポート３１（後述）から他方の第１レールサポート３１（後述）まで延びている。図８に示すように、プレート部材２６には、上述した第２パイプ部材６３から落下した結露水を基台床部１６に排出する複数の排水孔２７が設けられている。この排水孔２７は、結露水がサポート部材１７に落下しない位置に形成されている。すなわち、サポート部材１７の側縁（図８における上側縁および下側縁）は、基台壁部１５から離間している。このことにより、排水孔２７は、このサポート部材１７の側縁と基台壁部１５との間の開口を介して基台床部１６に結露水を落下させるようになっている。この排水孔２７を通過した結露水は、基台床部１６の上面を流れて、上述した回収孔２３に達する。
【００４５】
次に、陳列台５０Ａ〜５０Ｄのスライド機構について、より詳細に説明する。
【００４６】
図２に示すように、各陳列台５０Ａ〜５０Ｄは、収納位置と引出位置との間で、互いに独立に（別々に）スライド可能になっている。図５に示すように、各陳列台５０Ａ〜５０Ｄのスライド方向は、上述した一対の境界線５４がなす角度の二等分線の方向になっている。すなわち、一方の境界線５４から４５°の角度であって、他方の境界線５４から４５°の角度の方向に、陳列台５０Ａ〜５０Ｄがスライド可能になっている。また、本実施の形態によるショーケース１は、４つの陳列台５０Ａ〜５０Ｄを備えているため、互いに隣り合う陳列台５０Ａ〜５０Ｄは、スライド方向が直交するように構成されている。すなわち、陳列台５０Ａと陳列台５０Ｃのスライド方向とが互いに直交している。同様に、陳列台５０Ｃと陳列台５０Ｂのスライド方向と、陳列台５０Ｂと陳列台５０Ｄのスライド方向と、陳列台５０Ｄと陳列台５０Ａのスライド方向が、互いに直交している。また、４つの陳列台５０Ａ〜５０Ｄのうち陳列台５０Ａと陳列台５０Ｂが、互いに反対方向に引き出し可能になっており、陳列台５０Ｃと陳列台５０Ｄが、互いに反対方向に引き出し可能になっている。
【００４７】
図３および図８に示すように、基台１０は、陳列台５０Ａをスライド可能に支持する一対のガイドレール３０Ａ（第１ガイドレール）と、陳列台５０Ｂをスライド可能に支持する一対のガイドレール３０Ｂ（第２ガイドレール）と、を有している。陳列台５０Ａは、ガイドレール３０Ａに対して直線状にスライド可能な一対のスライダー６４Ａを有しており、各スライダー６４Ａが対応するガイドレール３０Ａに対して直線状にスライドすることにより、陳列台５０Ａが、スライドするように構成されている。例えば、スライダー６４Ａは、ガイドレール３０Ａを転動するローラ（図示せず）を有していてもよい。また、ガイドレール３０Ａが、後述する第１レールサポート３１に取り付けられた固定側のガイドレールと、このガイドレールにスライド可能なスライドレール（図示せず）と、を有するように構成されていてもよい。このようなガイドレール３０Ａの一例としては、スガツネ工業社製のスライドレール５３０２Ｓ−３００を挙げることができる。この場合、陳列台５０Ａのストロークを増大させることができる。後述するガイドレール３０Ｂ〜３０Ｄも同様である。
【００４８】
陳列台５０Ａと同様に、陳列台５０Ｂは、ガイドレール３０Ｂに対して直線状にスライド可能な一対のスライダー６４Ｂを有しており、各スライダー６４Ｂが対応するガイドレール３０Ｂに対して直線状にスライドすることにより、陳列台５０Ｂが、スライドするように構成されている。
【００４９】
各ガイドレール３０Ａは、対応するガイドレール３０Ｂに対して直線状に整列されている。すなわち、図８において、左側のガイドレール３０Ａは、左側のガイドレール３０Ｂに対して直線状に整列され、右側のガイドレール３０Ａは、右側のガイドレール３０Ｂに対して直線状に整列されている。そして、各ガイドレール３０Ａと、対応するガイドレール３０Ｂは、当該ガイドレール３０Ａから当該ガイドレール３０Ｂに延びる第１レールサポート３１に取り付けられている。すなわち、基台１０の上部に、一対の第１レールサポート３１が設けられており、図８における左側の第１レールサポート３１が、左側のガイドレール３０Ａおよび左側のガイドレール３０Ｂを支持し、右側の第１レールサポート３１が、右側のガイドレール３０Ａおよび右側のガイドレール３０Ｂを支持している。一対の第１レールサポート３１は、互いに平行に延びているとともに、基台壁部１５の一側部分（図８における上側部分）から他側部分（図８における下側部分）にわたって延びている。
【００５０】
図８に示すように、基台１０の上部に設けられた第１レールサポート３１は、基台１０の冷気流路空間１１内の冷気の流れの方向に直交する方向に延びている。言い換えると、第１レールサポート３１は、陳列台５０Ｃの冷気通気口６５（図５参照）から陳列台５０Ｄの冷気通気口６５に向かう方向（図８における右から左への方向）に直交する方向に延びている。図３、図７および図８に示すように、陳列台５０Ｃの側の第１レールサポート３１は、サポート部材１７とともに、冷気流路空間１１を下流側空間１８と上流側空間１９とに仕切っている。
【００５１】
また、図８に示すように、基台１０は、陳列台５０Ｃをスライド可能に支持する一対のガイドレール３０Ｃと、陳列台５０Ｄをスライド可能に支持する一対のガイドレール３０Ｄと、を更に有している。一方、陳列台５０Ｃは、ガイドレール３０Ｃに対して直線状にスライド可能な一対のスライダー６４Ｃを有しており、各スライダー６４Ｃが対応するガイドレール３０Ｃに対して直線状にスライドすることにより、陳列台５０Ｃが、スライドするように構成されている。同様に、陳列台５０Ｄは、ガイドレール３０Ｄに対して直線状にスライド可能な一対のスライダー６４Ｄを有しており、各スライダー６４Ｄが対応するガイドレール３０Ｄに対して直線状にスライドすることにより、陳列台５０Ｄが、スライドするように構成されている。
【００５２】
各ガイドレール３０Ｃは、対応するガイドレール３０Ｄに対して直線状に整列されている。すなわち、図８において、上側のガイドレール３０Ｃは、上側のガイドレール３０Ｄに対して直線状に整列され、下側のガイドレール３０Ｃは、下側のガイドレール３０Ｄに対して直線状に整列されている。各ガイドレール３０Ｃは、一対の第２レールサポート３２によって支持されている。すなわち、基台１０の上部に、一対の第２レールサポート３２が設けられており、図８における上側の第２レールサポート３２が、上側のガイドレール３０Ｃを支持し、下側の第２レールサポート３２が、下側のガイドレール３０Ｃを支持している。一対の第２レールサポート３２は、互いに平行に延びているとともに、一対の第１レールサポート３１のうちガイドレール３０Ｃの側（図８における右側）の第１レールサポート３１から、基台壁部１５（より詳細には、基台壁部１５のうち図８における右側部分）にわたって延びている。
【００５３】
同様に、各ガイドレール３０Ｄは、一対の第３レールサポート３３によって支持されている。すなわち、基台１０の上部に、一対の第３レールサポート３３が設けられており、図８における上側の第３レールサポート３３が、上側のガイドレール３０Ｄを支持し、下側の第３レールサポート３３が、下側のガイドレール３０Ｄを支持している。一対の第３レールサポート３３は、互いに平行に延びているとともに、一対の第１レールサポート３１のうちガイドレール３０Ｄの側（図８における左側）の第１レールサポート３１から、基台壁部１５（より詳細には、基台壁部１５のうち図８における左側部分）にわたって延びている。
【００５４】
各ガイドレール３０Ａ〜３０Ｄは、対応する陳列台５０Ａ〜５０Ｄが収納位置に位置付けられた場合に、スライダー６４Ａ〜６４Ｄのローラを係止するための係止部（図示せず）を有していてもよい。この係止部は、収納位置に位置付けられた陳列台５０Ａ〜５０Ｄが、引出位置に向かって意図せずに移動することを防止するためのものである。このため、陳列台５０Ａ〜５０Ｄを収納位置から引き出す場合には、スライダー６４Ａ〜６４Ｄのローラが、この係止部を容易に乗り上げることができるようになっていることが好ましい。一方、各陳列台５０Ａ〜５０Ｄは、収納位置に位置付けられた場合に、陳列室２の内側への移動を防止するためのストッパー（図示せず）が設けられていることが好適である。また、各陳列台５０Ａ〜５０Ｄは、引出位置に引き出された場合に、陳列室２の外側への移動を防止するためのストッパー（図示せず）が設けられていることが好適である。このことにより、陳列台５０Ａ〜５０Ｄが、引出位置から更に外側に意図せずに引き出されることを防止できる。しかしながら、点検や清掃等のために、引出位置から更に外側に意図的に引き出して、陳列台５０Ａ〜５０Ｄが取り外し可能になっていてもよい。
【００５５】
図８に示すように、第１レールサポート３１と第２レールサポート３２は、補強サポート３４によって連結されている。同様に、第１レールサポート３１と第３レールサポート３３は、補強サポート３４によって連結されている。このようにして、第１レールサポート３１、第２レールサポート３２および第３レールサポート３３の剛性を確保している。
【００５６】
ところで、図３および図５に示すように、陳列台５０Ａ〜５０Ｄは、陳列テーブル５１と側板５２との間に設けられた、冷気が通過する冷気通気口６５を有している。冷気通気口６５は、上方から見たときに、側板５２に沿って円周方向に延びるように形成されている。
【００５７】
本実施の形態では、各陳列台５０Ａ〜５０Ｄの冷気通気口６５のうちの一の陳列台の冷気通気口６５は、陳列室２内に冷気を放出し、他の一の陳列台の冷気通気口６５は、陳列室２から冷気を吸引する。すなわち、図３に示すように、陳列台５０Ｃ（第１陳列台）の冷気通気口６５が、冷気流路空間１１の下流側空間１８の側に配置されており、陳列台５０Ｄ（第２陳列台）の冷気通気口６５が、冷気流路空間１１の上流側空間１９の側に配置されている。このことにより、陳列台５０Ｃの冷気通気口６５が、冷却器１４からの冷気を陳列室２内に放出し、陳列台５０Ｄの冷気通気口６５が、陳列室２内の冷気を吸引する。なお、図８に示すように、下流側空間１８を通過した冷気は、一対のスライダー６４Ｃの間の空間や、第２レールサポート３２の外側の空間を通過するとともに、第２パイプ部材６３の周囲の空間を通過して、陳列台５０Ｃの冷気通気口６５に達するようになっている。一方、陳列台５０Ｄを通過した冷気は、第２パイプ部材６３の周囲の空間を通過するとともに、一対のスライダー６４Ｄの間の空間や、第３レールサポート３３の外側の空間を通過して、上流側空間１９に達する。
【００５８】
なお、図５に示すように、本実施の形態では、陳列台５０Ａ、Ｂの冷気通気口６５のうち、陳列台５０Ｃの側の部分（より詳細には、陳列台５０Ｃの側の第１レールサポート３１よりも陳列台５０Ｃの側の部分）は、冷却器１４からの冷気を陳列室２内に放出するようになっている。一方、陳列台５０Ａ、Ｂの冷気通気口６５のうち、陳列台５０Ｄの側の部分（より詳細には、陳列台５０Ｄの側の第１レールサポート３１よりも陳列台５０Ｄの側の部分）は、陳列室２から冷気を吸引するようになっている。陳列台５０Ａ、Ｂの冷気通気口６５のうち、陳列台５０Ｃの側の部分と陳列台５０Ｄの側の部分との間の部分（より詳細には、一対の第１レールサポート３１の間の部分）は、冷気が通過しないようになっている。このことにより、陳列室２内において、陳列台５０Ｃの冷気通気口６５から、陳列台５０Ｄの冷気通気口６５に向かう一方向の冷気の流れを形成している。
【００５９】
また、図３に示すように、陳列台５０Ｃは、冷却器１４からの冷気を冷気通気口６５に案内する２つの冷気ガイド部材６６を有している。より具体的には、冷気ガイド部材６６は、下流側空間１８を通過した冷気を冷気通気口６５に案内するためのものである。一方の冷気ガイド部材６６は、冷気通気口６５よりも内側に配置され、陳列テーブル５１の下面に取り付けられている。他方の冷気ガイド部材６６は、冷気通気口６５よりも外側に配置され、上述した第１パイプ部材６２の下面に取り付けられている。陳列台５０Ｃが収納位置に位置付けられた場合、内側の冷気ガイド部材６６は、一対のガイドレール３０Ｃの間に配置され、ガイドレール３０Ｃに対して直交する方向に直線状に形成されていることが好適である。外側の冷気ガイド部材６６は、冷気通気口６５に沿って円周方向に延びるように形成されていることが好適である。なお、冷気ガイド部材６６は、弾力性を有していることが好ましい。例えば、冷気ガイド部材６６は、ゴム板により形成することができる。このことにより、陳列台５０Ｃをスライドする際に、冷気ガイド部材６６が基台１０などの他の部材に擦れた場合であっても、冷気ガイド部材６６を容易に弾性変形させることができ、陳列台５０Ｃをスムースにスライドすることが可能になる。本実施の形態では、各陳列台５０Ａ〜５０Ｄの構成を共通化させるために、陳列台５０Ａ、Ｂ、Ｄも、２つの冷気ガイド部材６６を有している。
【００６０】
図３および図６に示すように、各陳列台５０Ａ〜５０Ｄは、基台１０に設けられた外気ファン２０から供給された外気を側板５２の外面に放出する外気通気口６７を有している。外気通気口６７は、側板５２の外側に設けられている。より具体的には、外気通気口６７は、側板５２と外側カバー部５３との間に配置されており、上方から見たときに、側板５２に沿って円周方向に延びるように形成されている。なお、図６に示すように、外気通気口６７に、外気通気口６７の開口面積を絞るためのオリフィス形成部６８が設けられていてもよい。この場合には、外気通気口６７から側板５２の外面に放出される外気の流速を高めることができ、当該外面における結露水の発生を抑制することができる。
【００６１】
陳列台５０Ａ〜５０Ｄは、外気ファン２０からの外気を外気通気口６７に案内する２つの外気ガイド部材６９を有している。すなわち、外気ガイド部材６９は、外気流路部２２を通過した外気を外気通気口６７に案内する。一方の外気ガイド部材６９は、外気通気口６７よりも内側に配置され、第１パイプ部材６２の下面に取り付けられている。他方の外気ガイド部材６９は、外気通気口６７よりも外側に配置され、外側カバー部５３に取り付けられている。陳列台５０Ａ〜５０Ｄが収納位置に位置付けられた場合、各外気ガイド部材６９は、外気通気口６７に沿って円周方向に延びるように形成されていることが好適である。なお、外気ガイド部材６９は、弾力性を有していることが好ましい。例えば、外気ガイド部材６９は、ゴム板により形成することができる。このことにより、陳列台５０Ａ〜５０Ｄをスライドする際に、外気ガイド部材６９が基台１０などの他の部材に擦れた場合であっても、外気ガイド部材６９を容易に弾性変形させることができ、陳列台５０Ａ〜５０Ｄをスムースにスライドすることが可能になる。本実施の形態においては、冷気通気口６５の外側に配置された冷気ガイド部材６６が、外気通気口６７の内側に配置された外気ガイド部材６９を兼用している。
【００６２】
また、図３に示すように、基台１０の上部に、陳列台センサスイッチ３５（陳列台検出部）が設けられている。この陳列台センサスイッチ３５は、陳列台５０Ｃが引出位置に引き出されているか否かを検出するためのものである。陳列台５０Ｃの陳列テーブル５１の下面には、被検出部材７０が取り付けられており、陳列台センサスイッチ３５の検出部材（図示せず）が、この被検出部材７０で押圧されているか否かによって、陳列台５０Ｃが引出位置に引き出されているか否かが検出される。陳列台センサスイッチ３５は、上述した外気ファン２０に配線接続されており、陳列台５０Ｃが引出位置に引き出されていることを検出した場合、外気ファン２０による外気の供給を停止するように構成されている。陳列台センサスイッチ３５は、例えば、陳列台５０Ｃが引出位置に引き出されているか否かに応じて、外気ファン２０に供給される電力の入切を切り替えられるスイッチとして構成されていてもよい。そして、陳列台センサスイッチ３５は、収納位置から所定距離外側に引き出された位置で、入切が切り替えられるようになっていてもよい。
【００６３】
陳列台５０Ｃだけではなく、陳列台５０Ａ、Ｂ、Ｄについても同様な陳列台センサスイッチ（図示せず）が設けられ、同様にして引出位置に引き出されているか否かが検出されるようになっている。そして、各陳列台センサスイッチが外気ファン２０に配線接続され、各陳列台５０Ａ〜５０Ｄのうちのいずれか一つが引出位置に引き出されていることが検出されると、外気ファン２０による外気の供給が停止するようになっている。
【００６４】
次に、このような構成からなら本実施の形態の作用について説明する。
【００６５】
各陳列台５０Ａ〜５０Ｄを収納位置に位置付けて商品を陳列している間、冷気供給部１２の各冷気ファン１３と冷却器１４とが駆動される。このことにより、陳列室２内の冷気が冷気流路空間１１の上流側空間１９に吸引されて、冷却器１４によって冷却される。冷却された冷気は冷却器１４から排出されて下流側空間１８を通過し、陳列台５０Ｃの冷気通気口６５に向かう。
【００６６】
この際、陳列台５０Ｃの２つの冷気ガイド部材６６によって、冷気は冷気通気口６５に案内される。そして、冷気は、陳列台５０Ｃの冷気通気口６５から陳列室２内に放出される。なお、下流側空間１８内の冷気は、陳列台５０Ｃの冷気通気口６５だけではなく、陳列台５０Ａ、Ｂの冷気通気口６５のうち陳列台５０Ｃの側の部分も通過して陳列室２内に放出される。
【００６７】
陳列室２内に放出された冷気は、主として陳列台５０Ｄの冷気通気口６５に向かって流れる。ここで、陳列台５０Ｃと陳列台５０Ｄは、陳列室２の中心に対して互いに反対側に配置されている。このことにより、陳列室２内には、陳列台５０Ｃの冷気通気口６５から陳列台５０Ｄの冷気通気口６５に向かう一方向の冷気の流れが形成され、陳列室２内に均等に冷気を供給することができる。
【００６８】
陳列台５０Ａ〜５０Ｄの冷気通気口６５に達した冷気は、当該冷気通気口６５から冷気流路空間１１の上流側空間１９内に吸引されて、再び冷却器１４によって冷却される。なお、陳列室２内の冷気は、陳列台５０Ｄの冷気通気口６５だけではなく、陳列台５０Ａ、Ｂの冷気通気口６５のうち陳列台５０Ｄの側の部分も通過して上流側空間１９内に吸引される。このようにして、ショーケース１内において冷気が循環し、陳列室２内の商品に連続的に冷気が供給されて、商品を効果的に冷却することができる。
【００６９】
冷気ファン１３と冷却器１４とが駆動されている間、基台１０に設けられた外気ファン２０も駆動される。このことにより、基台１０の周囲の外気が外気ファン２０に吸引されて、外気ファン２０から排出される。排出された外気は、外気ダクト２１および外気流路部２２を通過して、各陳列台５０Ａ〜５０Ｄの外気通気口６７に向かう。この際、各陳列台５０Ａ〜５０Ｄの２つの外気ガイド部材６９（より詳細には、冷気通気口６５の外側に配置された冷気ガイド部材６６と、外気通気口６７の外側に配置された外気ガイド部材６９）によって、外気は対応する外気通気口６７に案内される。そして、外気は、外気通気口６７から、その上方に設けられている側板５２の外面に放出される。外気通気口６７が、側板５２に沿って円周方向に延びるように形成されているため、放出された外気は、側板５２の外面に沿って流れる。このことにより、側板５２の外面における結露水の発生を抑制することができる。
【００７０】
ところで、上述したように側板５２の外面に外気を供給している場合であっても、陳列室２内の冷気の温度、外気の温度および外気の湿度などの条件によっては、天板４０の上面および陳列台の側板５２の外面に、結露水が発生する場合が考えられる。
【００７１】
天板４０の上面で発生した結露水は、天板４０が上に向かって凸となるように湾曲しているために、天板４０の上面を外縁に向かって流れ、天板フレーム４１で受けられる。天板フレーム４１で受けられた結露水は、そこに設けられた排水孔４２から排出されて、支柱水路４５を通過して支柱４４の下端から排出され、基台壁部１５の内面を流下して基台床部１６に達する。基台床部１６に達した結露水は、基台床部１６に設けられた回収孔２３に向かって基台床部１６の上面を流れる。そして、結露水は、回収孔２３を通過して回収タンク２４に回収される。
【００７２】
側板５２の外面で発生した結露水は、側板５２の外面を流下し、側板フレーム５７で受けられる。側板フレーム５７で受けられた結露水は、そこに設けられた排水孔５８から排出されて、第１陳列台水路６０に達する。第１陳列台水路６０に達した結露水は、第２陳列台水路６１を通過して、第２パイプ部材６３の内端から落下する。落下した結露水は、プレート部材２６で一旦受けられて、そこに設けられた排水孔２７から排出されて、基台床部１６に達する。基台床部１６に達した結露水は、基台床部１６に設けられた回収孔２３に向かって基台床部１６の上面を流れる。そして、結露水は、回収孔２３を通過して回収タンク２４に回収される。
【００７３】
このようにして陳列されている商品を取り出す場合には、取り出したい商品が載置されている陳列台５０Ａ〜５０Ｄを引き出す。
【００７４】
例えば、陳列台５０Ｃを収納位置から引き出す場合、陳列台５０Ｃの外側カバー部５３に下方から手を差し込んで陳列台５０Ｃが引き出される。このことにより、陳列台５０Ｃのスライダー６４Ｃが、ガイドレール３０Ｃに対してスライドしながら、陳列台５０Ｃが陳列室２の外側に引き出されて引出位置に達する。このようにして、陳列台５０Ｃに載置されている商品を容易に手に取ることが可能になる。図２に示すように、本実施の形態では、陳列台５０Ｃが引出位置に引き出された場合においても、陳列台５０Ｃの陳列テーブル５１の一部分（内側部分）は陳列室２の外側まで引き出されていないが、この陳列室２内に位置している商品であっても、陳列台５０Ｃを引き出すことにより形成された支柱４４の間の開口から容易に取り出すことができる。しかしながら、このことに限られることはなく、引出位置において、陳列テーブル５１の全体が陳列室２の外側に引き出されるようにしてもよい。
【００７５】
陳列台５０Ｃが収納位置から引き出されると、陳列台５０Ｃの被検出部材７０が、基台１０に設けられた陳列台センサスイッチ３５の検出部材（図示せず）から離れる。このことにより、陳列台センサスイッチ３５によって陳列台５０Ｃが引き出されたことが検出される。この場合、陳列台センサスイッチ３５が、入から切に切り替わり、外気ファン２０への電力の供給を停止する。このため、外気ファン２０が停止し、側板５２の外面への外気の供給が停止する。なお、他の陳列台５０Ａ、５０Ｂ、５０Ｄが引き出された場合であっても、同様な陳列台センサスイッチによって、外気ファン２０が停止するようになっている。また、陳列台５０Ａ〜５０Ｄが引き出された場合であっても、冷気ファン１３と冷却器１４は駆動され続ける。
【００７６】
引出位置に引き出された陳列台５０Ｃを陳列室２内に収納させる場合には、外側カバー部５３の外面が陳列室２の内側に向かって押圧される。このことにより、陳列台５０Ｃのスライダー６４Ｃが、ガイドレール３０Ｃに対してスライドしながら、陳列台５０Ｃが陳列室２の内側にスライドし、収納位置に達する。収納位置に達すると、陳列台５０Ｃの側板フレーム５７が、天板フレーム４１にシール部材Ｓ１（図３参照）を介して当接するとともに、支柱４４の当て板４４ａにシール部材Ｓ２（図５参照）を介して当接する。このことにより、陳列室２が密閉される。
【００７７】
また、陳列台５０Ｃが収納位置に位置付けられると、陳列台５０Ｃの被検出部材７０が、基台１０に設けられた陳列台センサスイッチ３５の検出部材に当接して押圧する。このことにより、陳列台センサスイッチ３５によって陳列台５０Ｃが引き出されていないことが検出される。この場合、陳列台センサスイッチ３５が、切から入に切り替わり、外気ファン２０に電力が供給される。このため、外気ファン２０が駆動され、側板５２の外面に外気が供給される。
【００７８】
他の陳列台５０Ａ、５０Ｂ、５０Ｄについても同様に収納位置と引出位置との間でスライド可能になっている。この場合、陳列台５０Ａ〜５０Ｄは、各々が互いに異なる方向にスライド可能になっているが、スライド方向以外の点では、実質的に同様の作用を有するため、ここでは、詳細な説明は省略する。
【００７９】
このように本実施の形態によれば、複数の陳列台５０Ａ〜５０Ｄが、上方から見たときに、陳列室２内に収納された収納位置と、陳列室２から外側に引き出された引出位置との間で、互いに異なる方向にスライド可能になっている。このことにより、互いに異なる複数の方向に、陳列台５０Ａ〜５０Ｄを引き出すことができる。このため、ショーケース１の周囲における種々の位置で、陳列されている商品を手に取ることができる。この結果、陳列された商品の取り出し性を向上させることができ、利便性を高めることができる。
【００８０】
また、本実施の形態によれば、複数の陳列台５０Ａ〜５０Ｄが、独立に引出位置にスライド可能になっている。このことにより、陳列されている商品を取り出す際に、陳列室２が大きく開放されることを防止でき、陳列室２内の清浄度が外気の混入によって低下することを抑制できる。とりわけ、陳列室２に陳列されている商品を冷却している場合には、陳列室２内に外気が入り込むことを抑制できる。このことにより、冷却器１４のエネルギロスを低減することができ、省エネルギ化を図ることができる。
【００８１】
また、本実施の形態によれば、陳列テーブル５１が、隣り合う他の陳列テーブル５１の側の縁部に設けられた凸部５６を含み、この凸部５６が、載置面５５よりも上方に突出している。このことにより、陳列台５０Ａ〜５０Ｄをスライドさせる際に、載置面５５に載置された商品が慣性力等を受けて移動した場合であっても、商品が陳列テーブル５１から落下することを防止できる。
【００８２】
また、本実施の形態によれば、陳列台５０Ａ〜５０Ｄのスライド方向が、陳列テーブル５１の一対の境界線５４がなす角度の二等分線の方向になっている。このことにより、陳列台５０Ａ〜５０Ｄを引出位置に引き出した際に、陳列テーブル５１の各々の境界線５４の側から、陳列されている商品に容易にアクセスすることができる。このため、陳列された商品の取り出し性をより一層向上させることができる。
【００８３】
また、本実施の形態によれば、陳列台５０Ａ〜５０Ｄは、冷気が通過する冷気通気口６５を有している。このことにより、基台１０の冷却器１４から排出された冷気を陳列室２内に放出したり、陳列室２から冷気を吸引したりすることができる。このため、スライド可能な陳列台５０Ａ〜５０Ｄを備えたショーケース１においても、陳列室２に陳列された商品に冷気を供給して、商品を冷却することができる。
【００８４】
また、本実施の形態によれば、陳列台５０Ｃの冷気通気口６５が陳列室２内に冷気を供給し、陳列台５０Ｄの冷気通気口６５が陳列室２から冷気を吸引する。このことにより、陳列室２内に、陳列台５０Ｃの冷気通気口６５から陳列台５０Ｄの冷気通気口６５に向かう一方向の冷気の流れを形成することができる。このため、陳列室２内に均等に冷気を供給することができる。また、基台１０の冷気流路空間１１においても、冷気の流れを主として一方向にすることができ、基台１０の構成を簡素化させることもできる。とりわけ、本実施の形態によれば、陳列台５０Ｃと陳列台５０Ｄは、上方から見たときに、陳列室２の中心に対して互いに反対側に配置されている。このことにより、陳列室２内の広い領域で一方向の冷気の流れを形成することができ、陳列室２内により一層均等に冷気を供給することができる。
【００８５】
また、本実施の形態によれば、基台１０の冷気流路空間１１が、サポート部材１７によって下流側空間１８と上流側空間１９とに仕切られている。このことにより、下流側空間１８内の冷気が、陳列室２を通ることなく上流側空間１９にショートカットして流れることを防止できる。このため、陳列室２内に放出される冷気の流量が低下することを防止し、陳列室２内に形成される冷気の流れを強めることができる。
【００８６】
また、本実施の形態によれば、陳列台５０Ａおよび陳列台５０Ｂをスライド可能に支持するガイドレール３０Ａおよびガイドレール３０Ｂが取り付けられた第１レールサポート３１が、基台１０の冷気流路空間１１を下流側空間１８と上流側空間１９とに仕切っている。このことにより、下流側空間１８内の冷気が、陳列室２を通ることなく上流側空間１９にショートカットして流れることを防止できる。このため、陳列室２内に放出される冷気の流量が低下することを防止し、陳列室２内に形成される冷気の流れを強めることができる。
【００８７】
また、本実施の形態によれば、陳列台５０Ｃが、冷却器１４からの冷気を冷気通気口６５に案内する２つの冷気ガイド部材６６を有しており、一方の冷気ガイド部材６６が、冷気通気口６５よりも内側に配置され、他方の冷気ガイド部材６６が、冷気通気口６５よりも外側に配置されている。このことにより、下流側空間１８内の冷気は、２つの冷気ガイド部材６６によって、陳列台５０Ｃの冷気通気口６５に案内される。このため、陳列台５０Ｃの冷気通気口６５から放出される冷気の流れが乱れることを抑制し、その結果、陳列室２内の冷気の流れが乱れることを抑制できる。
【００８８】
また、本実施の形態によれば、陳列台５０Ａ〜５０Ｄが、側板５２の外面に外気を放出する外気通気口６７を有している。このことにより、側板５２の外面に外気が供給されて、側板５２の外面における結露水の発生を抑制することができる。このため、陳列された商品を、側板５２を通して視認しようとする場合に、側板５２の外面に付着した結露水によって視認困難になることを抑制できる。
【００８９】
また、本実施の形態によれば、陳列台５０Ａ〜５０Ｄが引出位置に引き出されたことが検出された場合、外気ファン２０による外気の供給を停止させることができる。このため、陳列台５０Ａ〜５０Ｄが引出位置に引き出された場合には、外気ファン２０を停止させることで、省エネルギ化を図ることができる。
【００９０】
また、本実施の形態によれば、陳列台５０Ａ〜５０Ｄが、外気ファン２０からの外気を外気通気口６７に案内する２つの外気ガイド部材６９を有しており、一方の外気ガイド部材６９（より詳細には、冷気通気口６５の外側に配置された冷気ガイド部材６６）が、外気通気口６７よりも内側に配置され、他方の外気ガイド部材６９が、外気通気口６７よりも外側に配置されている。このことにより、外気流路部２２内の外気は、２つの外気ガイド部材６９によって、陳列台５０Ａ〜５０Ｄの外気通気口６７に案内される。このため、陳列台５０Ａ〜５０Ｄの外気通気口６７から放出される外気の流れが乱れることを抑制し、その結果、側板５２の外面に沿って流れる外気の流れが乱れることを抑制できる。
【００９１】
また、本実施の形態によれば、側板５２の外面で発生した結露水を側板フレーム５７が受けて、陳列台水路５９によって案内されて、回収タンク２４に回収される。このことにより、側板５２の外面で発生した結露水を回収して、廃棄することができる。
【００９２】
また、本実施の形態によれば、天板４０が、上方に向って凸となるように湾曲している。このことにより、天板４０の上面で発生した結露水を、天板４０の外縁に流すことができ、天板４０の上面に留まることを防止できる。このため、発生した結露水によって、ショーケース１の見た目が損なわれることを防止できるとともに、陳列室に陳列された商品の視認性が低下することを防止できる
【００９３】
さらに、本実施の形態によれば、天板４０の上面で発生した結露水を天板フレーム４１が受けて、互いに隣り合う側板５２の間に設けられた支柱４４の支柱水路４５によって案内されて回収タンク２４に回収される。このことにより、天板４０の上面で発生した結露水を回収して廃棄することができる。また、発生した結露水が、天板４０の上面から側板５２の外面に流下することを防止でき、発生した結露水によって、ショーケース１の見た目が損なわれることを防止できる。
【００９４】
なお、上述した本実施の形態においては、ショーケース１が、４つの陳列台５０Ａ〜５０Ｄを備えている例について説明した。しかしながら、このことに限られることはなく、陳列台の個数は任意である。
【００９５】
また、上述した本実施の形態においては、陳列台５０Ｃの冷気通気口６５が、陳列室２内に冷気を放出し、陳列台５０Ｄの冷気通気口６５が、陳列室２から冷気を吸引する例について説明した。しかしながら、このことに限られることはなく、陳列室２内への冷気の放出位置と、陳列室２からの冷気の吸引位置は、陳列されている商品を冷却することができれば、任意である。また、陳列室２の中心位置に、冷気通気口（図示せず）が設けられ、この冷気通気口が、陳列室２から冷気を吸引し、各陳列台５０Ａ〜５０Ｄの冷気通気口６５が陳列室２内に冷気を放出してもよい。また、陳列室２の中心位置の冷気通気口が陳列室２内に冷気を放出し、各陳列台５０Ａ〜５０Ｄの冷気通気口６５が陳列室２から冷気を吸引してもよい。
【００９６】
また、上述した本実施の形態においては、陳列室２に冷気が供給されるようになっている例について説明した。しかしながら、このことに限られることはなく、陳列室２には冷気が供給されなくてもよい。
【００９７】
また、上述した本実施の形態においては、陳列台５０Ａ〜５０Ｄが手動でスライドされる例について説明した。しかしながら、このことに限られることはなく、電動でスライドさせるようにしてもよい。例えば、電動モータ、スピンドル、およびリニアガイド等を有する機構を用いて、各陳列台５０Ａ〜５０Ｄを電動でスライドさせてもよい。
【００９８】
さらに、上述した本実施の形態においては、ショーケース１が、上方から見たときに円形状に形成されている例について説明した。しかしながら、このことに限られることはなく、ショーケース１は、上方から見たときに矩形状に形成されていてもよい。この場合には、陳列台５０Ａ〜５０Ｄの陳列テーブル５１の一対の境界線５４を、矩形状の陳列室２の対角線に沿うようにしてもよい。
【００９９】
本発明は上述した本実施の形態に限定されるものではなく、実施段階ではその要旨を逸脱しない範囲で構成要素を変形して具体化できる。また、上記実施の形態に開示されている複数の構成要素の適宜な組み合わせにより、種々の発明を形成できる。実施の形態に示される全構成要素から幾つかの構成要素を削除してもよい。
【符号の説明】
【０１００】
１      ショーケース
２      陳列室
１０    基台
１１    冷気流路空間
１２    冷気供給部
１３    冷気ファン
１４    冷却器
１５    基台壁部
１６    基台床部
１７    サポート部材
１８    下流側空間
１９    上流側空間
２０    外気ファン
２１    外気ダクト
２２    外気流路部
２３    回収孔
２４    回収タンク
２５    機械室
２６    プレート部材
２７    排水孔
３０Ａ〜３０Ｄ  ガイドレール
３１    第１レールサポート
３２    第２レールサポート
３３    第３レールサポート
３４    補強サポート
３５    陳列台センサスイッチ
４０    天板
４１    天板フレーム
４２    排水孔
４３    照明部
４４    支柱
４５    支柱水路
５０Ａ〜５０Ｄ    陳列台
５１    陳列テーブル
５２    側板
５３    外側カバー部
５４    境界線
５５    載置面
５６    凸部
５７    側板フレーム
５８    排水孔
５９    陳列台水路
６０    第１陳列台水路
６１    第２陳列台水路
６２    第１パイプ部材
６２ａ  受け入れ孔
６３    第２パイプ部材
６４Ａ〜６４Ｄ  スライダー
６５    冷気通気口
６６    冷気ガイド部材
６７    外気通気口
６８    オリフィス形成部
６９    外気ガイド部材
７０    被検出部材
【図１】
2018158038.tif 000003
【図２】
2018158038.tif 000004
【図３】
2018158038.tif 000005
【図４】
2018158038.tif 000006
【図５】
2018158038.tif 000007
【図６】
2018158038.tif 000008
【図７】
2018158038.tif 000009
【図８】
2018158038.tif 000010